(57)【要約】【課題】フレームアレスタを設けることなしに、燃焼器で発生した火炎が燃料電池へ逆流するのを防止できる燃料電池システムを提供する。【解決手段】燃料電池システム１は、燃料電池２と、アノードオフガス排気ラインＬ４及びカソードオフガス排気ラインＬ３と、アノードオフガス排気ラインＬ４を流通するアノードオフガスを、収容した水に放出することにより、オフガス成分を抽出するオフガス成分抽出装置１１と、オフガス成分抽出装置１１からアノードオフガス排気ラインＬ４を介して導入されたオフガス成分及び燃料電池２からカソードオフガス排気ラインＬ３を介して導入されたカソードオフガスを燃焼させる燃焼器９と、を備え、オフガス成分抽出装置１１において、燃焼器９からアノードオフガス排気ラインＬ４を介してオフガス成分抽出装置１１に逆流した火炎は、オフガス成分抽出装置１１の水に放出される。【選択図】図１
2014032928.tif 000002
【特許請求の範囲】
【請求項１】
アノードに供給されたアノードガス及びカソードに供給されたカソードガスを反応させて発電し、アノードオフガス及びカソードオフガスを排気する燃料電池と、
前記燃料電池からアノードオフガスを排気するアノードオフガス排気ライン及び前記燃料電池からカソードオフガスを排気するカソードオフガス排気ラインと、
前記アノードオフガス排気ラインに設けられ、前記アノードオフガス排気ラインを流通するアノードオフガスを、収容した水に放出することにより、オフガス成分を抽出するオフガス成分抽出装置と、
前記アノードオフガス排気ライン及び前記カソードオフガス排気ラインの末端に接続され、前記オフガス成分抽出装置から前記アノードオフガス排気ラインを介して導入されたオフガス成分及び前記燃料電池から前記カソードオフガス排気ラインを介して導入されたカソードオフガスを燃焼させる燃焼器と、を備えた燃料電池システムであって、
前記オフガス成分抽出装置において、前記燃焼器から前記アノードオフガス排気ラインを介して前記オフガス成分抽出装置に逆流した火炎は、当該オフガス成分抽出装置の水に放出される、
燃料電池システム。
【請求項２】
前記アノードオフガス排気ラインから導入されたアノードオフガス及び水を収容可能な容器と、前記アノードオフガス排気ラインを流通するアノードオフガスを前記容器に導入するオフガス導入ラインと、前記容器に収容されたアノードオフガスを前記オフガス成分抽出装置に排出するオフガス排出ラインと、を有する水逆流防止装置を更に備え、
前記容器において、前記オフガス排出ラインの上流側の端部は、前記オフガス導入ラインの下流側の端部よりも重力方向の下方に配置されており、前記オフガス導入ラインから前記容器に導入されたアノードオフガスは、前記オフガス排出ラインの上流側の端部から前記オフガス成分抽出装置に向けて排出され、前記オフガス成分抽出装置から前記オフガス排出ラインを介して前記容器に逆流した水分は、当該容器に捕集される、
請求項１に記載の燃料電池システム。
【請求項３】
前記オフガス成分抽出装置は、オフガス成分により加温された水と外部から導入した冷媒とを熱交換させる熱交換部を有する、
請求項１又は２に記載の燃料電池システム。
【発明の詳細な説明】
【技術分野】
【０００１】
本発明は、燃料電池から排気されたオフガスを燃焼する燃焼器を備えた燃料電池システムに関する。
【背景技術】
【０００２】
燃料電池は、燃料電池のアノードに供給されたアノードガスと、カソードに供給されたカソードガスとが化学反応することにより発電する。燃料電池において、化学反応による発電に寄与しなかったアノードガス及びカソードガスは、それぞれアノードオフガス及びカソードオフガス（以下、「オフガス」ともいう）として排気される。
【０００３】
燃料電池から排気されるオフガスには、アノードガス成分及びカソードガス成分の一部が残存している。そのため、発電に係る燃料コストの削減及び安全性を確保するため、オフガスを燃焼器で燃焼させると共に、燃焼により生じた廃熱を回収して、例えば、アノードガス及びカソードガスの加熱用に再利用している。燃料電池から排気されるオフガスを燃焼器で燃焼させる場合、燃焼器で発生した火炎が燃料電池へ逆流するのを防止するため、燃料電池と燃焼器との間にフレームアレスタ（逆火防止装置）を設置することが望ましい。
【０００４】
従来、改質器のバーナに混合ガスを供給するバーナ混合ガス供給系にフレームアレスタを設け、バーナ内で発生した火炎がバーナ混合ガス供給系の上流側へ進行するのを防止するように構成された燃料電池システムが知られている（特許文献１参照）。
【先行技術文献】
【特許文献】
【０００５】
【特許文献１】特開２０１０−１０８８３２号公報
【発明の概要】
【発明が解決しようとする課題】
【０００６】
ところで、アノードオフガスに含まれる水素は、消炎距離が極めて短いため、燃料電池と燃焼器との間にフレームアレスタを設置した場合、フレームアレスタの間隔を小さくする必要がある。しかし、フレームアレスタの間隔を小さくすると、フレームアレスタを通過するアノードオフガスの圧力損失が大きくなる。そのため、燃料電池へのアノードガスの供給圧力を上げるブースターポンプを設置したり、燃料電池の本体からアノードオフガスがリークするのを防止するための対策を講じたりする必要がある。
【０００７】
本発明は、フレームアレスタを設けることなしに、燃焼器で発生した火炎が燃料電池へ逆流するのを防止できる燃料電池システムを提供することを目的とする。
【課題を解決するための手段】
【０００８】
本発明は、アノードに供給されたアノードガス及びカソードに供給されたカソードガスを反応させて発電し、アノードオフガス及びカソードオフガスを排気する燃料電池と、前記燃料電池からアノードオフガスを排気するアノードオフガス排気ライン及び前記燃料電池からカソードオフガスを排気するカソードオフガス排気ラインと、前記アノードオフガス排気ラインに設けられ、前記アノードオフガス排気ラインを流通するアノードオフガスを、収容した水に放出することにより、オフガス成分を抽出するオフガス成分抽出装置と、前記アノードオフガス排気ライン及び前記カソードオフガス排気ラインの末端に接続され、前記オフガス成分抽出装置から前記アノードオフガス排気ラインを介して導入されたオフガス成分及び前記燃料電池から前記カソードオフガス排気ラインを介して導入されたカソードオフガスを燃焼させる燃焼器と、を備えた燃料電池システムであって、前記オフガス成分抽出装置において、前記燃焼器から前記アノードオフガス排気ラインを介して前記オフガス成分抽出装置に逆流した火炎は、当該オフガス成分抽出装置の水に放出される、燃料電池システムに関する。
【０００９】
また、前記アノードオフガス排気ラインから導入されたアノードオフガス及び水を収容可能な容器と、前記アノードオフガス排気ラインを流通するアノードオフガスを前記容器に導入するオフガス導入ラインと、前記容器に収容されたアノードオフガスを前記オフガス成分抽出装置に排出するオフガス排出ラインと、を有する水逆流防止装置を更に備え、前記容器において、前記オフガス排出ラインの上流側の端部は、前記オフガス導入ラインの下流側の端部よりも重力方向の下方に配置されており、前記オフガス導入ラインから前記容器に導入されたアノードオフガスは、前記オフガス排出ラインの上流側の端部から前記オフガス成分抽出装置に向けて排出され、前記オフガス成分抽出装置から前記オフガス排出ラインを介して前記容器に逆流した水分は、当該容器に捕集されることが好ましい。
【００１０】
また、前記オフガス成分抽出装置は、オフガス成分により加温された水と外部から導入した冷媒とを熱交換させる熱交換部を有することが好ましい。
【発明の効果】
【００１１】
本発明によれば、フレームアレスタを設けることなしに、燃焼器で発生した火炎が燃料電池へ逆流するのを防止できる燃料電池システムを提供することができる。
【図面の簡単な説明】
【００１２】
【図１】実施形態に係る燃料電池システム１の全体構成図である。
【図２】水逆流防止装置１０及びオフガス成分抽出装置１１の概略構成図である。
【発明を実施するための形態】
【００１３】
以下、本発明に係る燃料電池システムの実施形態を、図面を参照しながら説明する。図１は、本実施形態に係る燃料電池システム１の全体構成図である。
【００１４】
図１に示すように、本実施形態に係る燃料電池システム１は、燃料電池２と、空気供給部３と、第１熱交換器４と、燃料供給部５と、第２熱交換器６と、加湿器７と、改質器８と、燃焼器９と、水逆流防止装置１０と、オフガス成分抽出装置１１と、を備える。
【００１５】
また、燃料電池システム１は、カソードガス供給ラインＬ１と、アノードガス供給ラインＬ２と、カソードオフガス排気ラインＬ３と、アノードオフガス排気ラインＬ４と、排ガス排気ラインＬ５と、加湿水循環ラインＬ６と、を備える。
【００１６】
本実施形態に係る燃料電池システム１は、燃料電池２のアノードオフガスから回収した凝縮水を、加湿水として加湿器７に循環させる加湿水循環型の燃料電池システムである。
【００１７】
燃料電池２は、アノード側に供給されたアノードガス及びカソード側に供給されたカソードガスを反応させて発電する。発電により得られた直流電力は、例えば、ＤＣ／ＡＣコンバータ等（不図示）を介して交流電力に変換される。また、発電により生じたアノードオフガス及びカソードオフガスは、燃焼器９（後述）に送出される。
【００１８】
なお、燃料電池２としては、高温型の燃料電池であるＳＯＦＣ（固体酸化物形燃料電池）や、低温型の燃料電池であるＰＥＦＣ（固体高分子形燃料電池）を用いることができる。本実施形態では、燃料電池２として、高温型の燃料電池であるＳＯＦＣを用いた例について説明する。
【００１９】
カソードガス供給ラインＬ１は、カソードガスの供給源から送出されたカソードガスが流通するラインである。カソードガス供給ラインＬ１の上流側の端部は、空気供給部３に接続されている。空気供給部３は、カソードガスの供給源である。空気供給部３としては、例えば、ブロワやエアコンプレッサ等が挙げられる。本実施形態において、空気供給部３は、カソードガスとして空気を供給するブロワである。一方、カソードガス供給ラインＬ１の下流側の端部は、燃料電池２のカソード側に接続されている。
【００２０】
カソードガス供給ラインＬ１には、第１熱交換器４が設けられている。第１熱交換器４は、燃焼器９から排気された排ガスの熱により、空気供給部３から供給されたカソードガスを加熱する。第１熱交換器４には、排ガス排気ラインＬ５が接続されている。空気供給部３から供給されたカソードガスは、第１熱交換器４において、排ガス排気ラインＬ５を流通する排ガスとの熱交換により加熱される。カソードガスの加熱により、燃料電池２において、アノードガスとの化学反応が促進される。なお、燃料電池２として、低温型の燃料電池であるＰＥＦＣを用いた場合には、カソードガス供給ラインＬ１において、第１熱交換器４と燃料電池２との間に、加湿器（不図示）が設けられる。
【００２１】
アノードガス供給ラインＬ２は、アノードガスの供給源から送出されたアノードガスが流通するラインである。アノードガス供給ラインＬ２の上流側の端部は、燃料供給部５に接続されている。燃料供給部５は、アノードガスの供給源であり、例えば、ガスタンクや都市ガス等のガスライン等が挙げられる。アノードガスとしては、例えば、分子中に炭素と水素とを含む化合物の気体及びそれら化合物からなる混合物の気体が挙げられる。より具体的には、メタン、エタン、プロパン、ブタン、ＬＮＧ（液化天然ガス）、ＬＰＧ（液化石油ガス）、都市ガス、ガソリン、ナフサ、灯油、軽油等の炭化水素、メタノール、エタノール等のアルコール、ジメチルエーテル等のエーテルが挙げられる。本実施形態において、燃料供給部５は、炭化水素ガスが充填されたアノードガスタンクである。一方、アノードガス供給ラインＬ２の下流側の端部は、燃料電池２のアノード側に接続されている。
【００２２】
アノードガス供給ラインＬ２には、アノードガスの流通方向に沿って、第２熱交換器６、加湿器７、及び改質器８が設けられている。
【００２３】
第２熱交換器６は、燃焼器９から排気された排ガスの熱により、燃料供給部５から供給されたアノードガスを加熱する。第２熱交換器６には、排ガス排気ラインＬ５が接続されている。燃料供給部５から供給されたアノードガスは、第２熱交換器６において、排ガス排気ラインＬ５を流通する排ガスとの熱交換により加熱される。アノードガスの加熱により、燃料電池２において、カソードガスとの化学反応が促進される。
【００２４】
加湿器７は、燃料供給部５から第２熱交換器６を経て供給されたアノードガスを加湿する。加湿器７において使用される加湿水の一部は、オフガス成分抽出装置１１（後述）から加湿水循環ラインＬ６を介して供給される水Ｗ１である。また、加湿器７には、排ガス排気ラインＬ５が接続されている。
【００２５】
改質器８は、アノードガスと水蒸気とを改質反応させて、水素リッチなアノードガスを生成する。改質器８から排出されたアノードガスは、燃料電池２のアノード側に供給される。
【００２６】
カソードオフガス排気ラインＬ３は、燃料電池２からカソードオフガスを排気するラインである。カソードオフガス排気ラインＬ３の上流側の端部は、燃料電池２のカソードオフガス排気口に接続されている。カソードオフガス排気ラインＬ３の下流側の端部は、燃焼器９のカソードオフガス導入口に接続されている。
【００２７】
アノードオフガス排気ラインＬ４は、燃料電池２からアノードオフガスを排気するラインである。アノードオフガス排気ラインＬ４の上流側の端部は、燃料電池２のアノードオフガス排気口に接続されている。アノードオフガス排気ラインＬ４の下流側の端部は、燃焼器９のアノードオフガス導入口に接続されている。アノードオフガス排気ラインＬ４には、アノードオフガスの流通方向に沿って、水逆流防止装置１０、オフガス成分抽出装置１１が接続されている。水逆流防止装置１０、オフガス成分抽出装置１１については後述する。
【００２８】
燃焼器９は、カソードオフガス排気ラインＬ３及びアノードオフガス排気ラインＬ４の末端に接続され、オフガス成分抽出装置１１（後述）から排出された未反応アノードオフガス及び燃料電池２から排気されたカソードオフガスを燃焼させる。
【００２９】
燃焼器９には、排ガス排気ラインＬ５が接続されている。排ガス排気ラインＬ５は、燃焼器９から、燃焼により生じた排ガスを排気するラインである。排ガス排気ラインＬ５は、第１熱交換器４、第２熱交換器６、及び加湿器７と接続されている。排ガス排気ラインＬ５を流通する排ガスは、第１熱交換器４、第２熱交換器６、及び加湿器７において、それぞれ被加熱媒体と熱交換した後、外部に排気される。
【００３０】
次に、アノードオフガス排気ラインＬ４に接続された水逆流防止装置１０、オフガス成分抽出装置１１について説明する。図２は、水逆流防止装置１０及びオフガス成分抽出装置１１の概略構成図である。
【００３１】
まず、水逆流防止装置１０について説明する。
水逆流防止装置１０は、オフガス成分抽出装置１１から逆流した水分が上流側の燃料電池２へ到達するのを防止する装置である。図２に示すように、水逆流防止装置１０は、本体容器１０１と、オフガス導入ラインＬ４−Ａと、オフガス排出ラインＬ４−Ｂと、を有する。
【００３２】
本体容器１０１は、アノードオフガス排気ラインＬ４から導入されたアノードオフガス及び水を収容可能な容器である。本体容器１０１には、オフガス導入ラインＬ４−Ａ、及びオフガス排出ラインＬ４−Ｂが接続されている。
【００３３】
オフガス導入ラインＬ４−Ａは、アノードオフガス排気ラインＬ４を流通するアノードオフガスを本体容器１０１に導入するラインである。また、オフガス排出ラインＬ４−Ｂは、本体容器１０１に収容されたアノードオフガスをオフガス成分抽出装置１１に排出するラインである。
【００３４】
本実施形態のアノードオフガス排気ラインＬ４は、水逆流防止装置１０及びオフガス成分抽出装置１１において、それぞれ分割されている。水逆流防止装置１０において分割されたアノードオフガス排気ラインＬ４の一方の端部は、オフガス導入ラインＬ４−Ａとなる。また、分割されたアノードオフガス排気ラインＬ４の他方の端部は、オフガス排出ラインＬ４−Ｂとなる。
【００３５】
本体容器１０１において、オフガス排出ラインＬ４−Ｂの上流側の端部Ｂは、オフガス導入ラインＬ４−Ａの下流側の端部Ａよりも重力方向の下方に配置されている。そして、オフガス導入ラインＬ４−Ａの下流側の端部Ａから本体容器１０１に導入されたアノードオフガスは、オフガス排出ラインＬ４−Ｂの上流側の端部Ｂからオフガス成分抽出装置１１に向けて排出される。一方、オフガス成分抽出装置１１からオフガス排出ラインＬ４−Ｂを介して本体容器１０１に水分が逆流した場合、その水分は、本体容器１０１内に捕集される。なお、図２において、オフガス排出ラインＬ４−Ｂの上流側の端部Ｂと、オフガス導入ラインＬ４−Ａの下流側の端部Ａとの高低差は、少なくとも１０ｍｍ以上とすることが好ましい。
【００３６】
オフガス導入ラインＬ４−Ａの下流側の端部Ａは、図２に示すように、オフガス排出ラインＬ４−Ｂの上流側の端部Ｂよりも重力方向の上方に配置されている。そのため、水逆流防止装置１０において、本体容器１０１内に捕集された水分がオフガス導入ラインＬ４−Ａを逆流して燃料電池２へ到達するのを防止できる。
【００３７】
次に、オフガス成分抽出装置１１について説明する。
オフガス成分抽出装置１１は、燃焼器９で発生した火炎が燃料電池２へ逆流するのを防止する装置である。図２に示すように、オフガス成分抽出装置１１は、本体容器１１１を有する。本体容器１１１は、内部に水Ｗ１が収容された容器である。本体容器１１１において、収容された水Ｗ１の領域が液相部であり、その上部に存在する空気の領域が気相部である。本体容器１１１は、アノードオフガス排気ラインＬ４に設けられている。また、本体容器１１１には、加湿水循環ラインＬ６が接続されている。
【００３８】
オフガス成分抽出装置１１において、分割されたアノードオフガス排気ラインＬ４の一方の端部（アノードオフガスの導入側）は、本体容器１１１の液相部に開口している。また、分割されたアノードオフガス排気ラインＬ４の他方の端部（アノードオフガスの排出側）は、本体容器１１１の気相部に開口している。
【００３９】
アノードオフガス排気ラインＬ４の一方の端部からオフガス成分抽出装置１１に導入されたアノードオフガスは、本体容器１１１に収容された水Ｗ１に放出される。これにより、アノードオフガスに含まれるオフガス成分が、本体容器１１１の気相部から取り出される。このオフガス成分は、未反応アノードオフガスとして、アノードオフガス排気ラインＬ４の他方の端部から排出される。未反応アノードオフガスは、アノードオフガス排気ラインＬ４を介して燃焼器９（図１参照）に送出される。
【００４０】
一方、燃焼器９からアノードオフガス排気ラインＬ４を介してオフガス成分抽出装置１１に火炎が逆流した場合、その火炎は、本体容器１１１に貯留された水Ｗ１に放出される。そのため、燃焼器９で発生した火炎が、アノードオフガス排気ラインＬ４からオフガス成分抽出装置１１に逆流した場合に、その火炎は、本体容器１１１に貯留された水Ｗ１に放出されることにより消炎される。
【００４１】
また、オフガス成分抽出装置１１に導入されたアノードオフガスが、本体容器１１１に収容された水Ｗ１に放出されることにより、アノードオフガスに含まれる水蒸気は、本体容器１１１に収容された水Ｗ１に冷却され、凝縮水となる。
【００４２】
加湿水循環ラインＬ６の上流側の端部は、本体容器１１１の液相部であって、本体容器１１１の底部から所定の高さの位置に設けられた加湿水排出口に接続されている。本体容器１１１内において、アノードオフガスに含まれる水蒸気が冷却されて凝縮水が生成されることにより、本体容器１１１内の水位が加湿水循環ラインＬ６の接続位置よりも高くなると、オーバーフローした水Ｗ１が加湿水として加湿水循環ラインＬ６に排出される。オフガス成分抽出装置１１から排出された水Ｗ１は、加湿水循環ラインＬ６を介して加湿器７へ送出される。
【００４３】
また、本体容器１１１には、熱交換部としての熱交換器１１２が設けられている。この熱交換器１１２は、本体容器１１１に収容された水Ｗ１と、外部から導入した冷媒（空気、水等）Ｒ１とを熱交換させる機能を有する。本体容器１１１に収容された水Ｗ１との熱交換により加熱された冷媒Ｒ１は、冷媒ラインＬ７を介して、需要箇所に送出される。オフガス成分抽出装置１１の本体容器１１１内に熱交換器１１２を設けることにより、アノードオフガス排気ラインＬ４からオフガス成分抽出装置１１に導入されたアノードオフガスの潜熱を効率良く回収できる。
【００４４】
上述した実施形態に係る燃料電池システム１によれば、例えば、以下のような効果が得られる。
【００４５】
本実施形態に係る燃料電池システム１は、オフガス成分抽出装置１１を備える。オフガス成分抽出装置１１において、燃焼器９からアノードオフガス排気ラインＬ４を介してオフガス成分抽出装置１１に火炎が逆流した場合、その火炎は、本体容器１１１に貯留された水Ｗ１に放出される。そのため、燃焼器９で発生した火炎が、アノードオフガス排気ラインＬ４を介してオフガス成分抽出装置１１に逆流しても、その火炎は、本体容器１１１に貯留された水Ｗ１に放出されることにより消炎される。従って、本実施形態に係る燃料電池システム１は、フレームアレスタを設けることなしに、燃焼器９で発生した火炎が燃料電池２へ逆流するのを防止できる。
【００４６】
また、燃料電池システム１は、フレームアレスタを設けないため、燃料電池２へのアノードガスの供給圧力を上げるブースターポンプを設置したり、燃料電池２の本体からアノードオフガスがリークするのを防止するための対策を講じたりする必要がない。そのため、フレームアレスタを設けた場合に比べて、燃料電池システム１のイニシャルコスト及びランニングコストを削減できる。
【００４７】
また、オフガス成分抽出装置１１において、アノードオフガス排気ラインＬ４の一方の端部が本体容器１１１の液相部に浸水する長さに応じて、アノードオフガス排気ラインＬ４の一方の端部における水圧が変化する。そのため、アノードオフガス排気ラインＬ４の一方の端部が本体容器１１１の液相部に浸水する長さを適宜に設定して、アノードオフガス排気ラインＬ４の一方の端部における水圧を調節することにより、アノードオフガス排気ラインＬ４を流通するアノードオフガスの圧力損失を所望の圧力値に調整できる。
【００４８】
また、燃料電池システム１は、水逆流防止装置１０を備える。水逆流防止装置１０において、オフガス導入ラインＬ４−Ａの下流側の端部Ａは、オフガス排出ラインＬ４−Ｂの上流側の端部Ｂよりも重力方向の上方に配置されている。そのため、水逆流防止装置１０の本体容器１０１内に捕集された水分がオフガス導入ラインＬ４−Ａを逆流して燃料電池２へ到達するのを防止できる。
【００４９】
また、燃料電池システム１のオフガス成分抽出装置１１は、本体容器１１１に収容された水Ｗ１と外部から導入した冷媒Ｒ１とを熱交換させる熱交換器１１２を有する。そのため、アノードオフガス排気ラインＬ４からオフガス成分抽出装置１１に導入されたアノードオフガスの潜熱を効率良く回収できる。
【００５０】
以上、本発明の好ましい実施形態について説明した。しかし、本発明は、上述した実施形態に限定されることなく、種々の形態で実施することができる。
【００５１】
例えば、カソードガス供給ラインＬ１における第１熱交換器４の上流側、及びアノードガス供給ラインＬ２における第２熱交換器６の上流側に、それぞれ流量調整手段としてのマスフローコントローラ又は流量調整弁を設けてもよい。
【符号の説明】
【００５２】
１  燃料電池システム
２  燃料電池
３  空気供給部
５  燃料供給部
７  加湿器
８  改質器
９  燃焼器
１０１  本体容器（容器）
１０  水逆流防止装置
１１  オフガス成分抽出装置
Ｌ１  カソードガス供給ライン
Ｌ２  アノードガス供給ライン
Ｌ３  カソードオフガス排気ライン
Ｌ４  アノードオフガス排気ライン
Ｌ４−Ａ  オフガス導入ライン
Ｌ４−Ｂ  オフガス排出ライン
Ｌ５  排ガス排気ライン
Ｌ６  加湿水循環ライン
Ｗ１  水
Ｒ１  冷媒
【図１】
2014032928.tif 000003
【図２】
2014032928.tif 000004